(57)【要約】【課題】  フックから刈払機を簡単に外すことを可能にすることで、取扱い性の向上を図ることができる刈払機の吊具構造を提供する。【解決手段】  刈払機の吊具構造１０は、支持部４０の本体４１から係止部４２を突出させ、係止部４２に吊下げ部４３を嵌め込み、係止部４２にストッパ部材４５を抜き差し自在に係止位置Ｐ１まで差し込み、吊下げ部４３のフック４６に刈払機２１を掛けるものである。この刈払機の吊具構造１０は、係止部４２に差し込んだストッパ部材４５の下端部４５ａ側に、フック４６を開閉可能な弾発片７２を設け、ストッパ部材４５を係止位置Ｐ１から開口位置Ｐ２まで押し下げた際に、ストッパ部材４５の下端部４５ａで弾性片７２を弾性変形させてフック４６を開くように構成した。【選択図】      図５
2006141359.tif 000002
【特許請求の範囲】
【請求項１】
肩掛け用ベルトに支持部を設け、支持部の本体から略水平方向に係止部を突出させ、係止部に吊下げ部を嵌め込み、吊下げ部を嵌め込んだ係止部にストッパ部材を抜き差し自在に係止位置まで差し込み、差し込んだストッパ部材で吊下げ部を係止部に保持し、この吊下げ部のフックに刈払機を掛ける刈払機の吊具構造において、
前記係止部に差し込んだストッパ部材の下端部側に、前記フックを開閉可能な弾発片を設け、
このストッパ部材を前記係止位置から開口位置まで押し下げた際に、ストッパ部材の下端部で弾性片を弾性変形させてフックを開くように構成したことを特徴とする刈払機の吊具構造。
【請求項２】
前記弾発片の基端部を前記吊下げ部に設けるとともに、前記弾発片の先端部を前記フックに当接し、
前記弾発片のうち、基端部から略中央まで延びた下り勾配の上片部を、上片部から前記先端部まで延びた下り勾配の下片部より急勾配に形成し、
前記ストッパ部材を前記係止位置から前記開口位置に向けて押し下げたとき、ストッパ部材の下端部で前記上片部を押圧するように構成したことを特徴とする請求項１記載の刈払機の吊具構造。
【発明の詳細な説明】
【技術分野】
【０００１】
本発明は、刈払機を使用する際に、使用者の身体で刈払機を吊り下げた状態に支える刈払機の吊具構造に関する。
【背景技術】
【０００２】
刈払機を用いて雑草類を刈る際に、作業者の負担を軽減するために、作業者の肩に刈払機を吊す吊具構造が知られている（例えば、特許文献１参照。）。
【特許文献１】実開昭５３−９３６号公報
【０００３】
特許文献１を次図に基づいて説明する。
図１４は従来の基本構成を説明する図である。
刈払機の吊具構造２００は、肩掛け用ベルト２０１に支持部２０２を設け、支持部２０２の下端部から略水平方向に係止部２０３を突出させ、係止部２０３に、吊下げ部２０４の係止孔２０４ａを嵌め込み、係止部２０３の差込孔２０５にストッパ部材２０６の下端部２０７を差し込むことで、ストッパ部材２０６で吊下げ部２０４を係止部２０３に係止し、吊下げ部２０４のフック２０８に刈払機（図示せず）を掛けるものである。
【０００４】
刈払機の吊具構造２００によれば、ストッパ部材２０６を矢印ａの如く引き上げて差込孔２０５から下端部２０７を抜き出すことで、吊下げ部２０４を係止部２０３から外すことが可能である。
これにより、刈払作業中に、必要に応じて、刈払機を吊具構造２００から瞬時に外すことができる。
【発明の開示】
【発明が解決しようとする課題】
【０００５】
ところで、吊下げ部２０４には支持ピン２１０を介して爪部２１１がスイング自在に支持されている。この爪部２１１は、ばね部材（図示せず）のばね力でフック２０８の開口部を閉じるように保持されている。
【０００６】
このため、吊下げ部２０４のフック２０８から刈払機を外すときには、先ず、一方の手で、支持ピン２１０を軸にして爪部２１１を矢印ｂの如くスイング移動させる。
爪部２１１をスイング移動することで、爪部２１１の先端部をフック２０８から離し、爪部２１１の先端部とフック２０８との間の開口部から刈払機を外す。
次に、この状態を保ちながら、他方の手で、爪部２１１とフック２０８との間の開口部から刈払機を外す。
【０００７】
ここで、爪部２１１は比較的小さく、かつ、ばね部材のばね力は比較的大きい。ばね部材のばね力が小さいと、爪部２１１を閉位置に保持することが難しいからである。
このため、一方の手で、爪部２１１を矢印ｂの方向に押圧しながら、他方の手で、フック２０８から刈払機を外す作業は困難であり、取扱い性の観点から改良の余地が残されていた。
【０００８】
本発明は、フックから刈払機を簡単に外すことを可能にすることで、取扱い性の向上を図ることができる刈払機の吊具構造を提供することを課題とする。
【課題を解決するための手段】
【０００９】
請求項１に係る発明は、肩掛け用ベルトに支持部を設け、支持部の本体から略水平方向に係止部を突出させ、係止部に吊下げ部を嵌め込み、吊下げ部を嵌め込んだ係止部にストッパ部材を抜き差し自在に係止位置まで差し込み、差し込んだストッパ部材で吊下げ部を係止部に保持し、この吊下げ部のフックに刈払機を掛ける刈払機の吊具構造において、前記係止部に差し込んだストッパ部材の下端部側に、前記フックを開閉可能な弾発片を設け、このストッパ部材を前記係止位置から開口位置まで押し下げた際に、ストッパ部材の下端部で弾性片を弾性変形させてフックを開くように構成したことを特徴とする。
【００１０】
吊下げ部のうち、係止部に差し込んだストッパ部材の下端部側に弾発片を設けた。そして、ストッパ部材を開口位置まで押し下げることで、ストッパ部材の下端部で弾発片を押圧する。この押圧力で弾発片を弾性変形してフックを開く。
この状態において、ストッパ部材は、弾発片のばね力で開口位置に保持される。よって、ストッパ部材から押下げ力を解除しても、フックの開口部は開いた状態に保たれる。
これにより、刈払機をフックの開口部から簡単に外すことができる。
【００１１】
係止部に吊下げ部を係止する部材としてストッパ部材を設け、このストッパ部材を弾発片を押圧する部材として兼用した。弾発片を押圧するために、新たな部材を用意する必要がない。
これにより、簡素な構成で弾発片を押圧することが可能であり、部品点数の増加を抑えるとともに、コストアップを抑えることができる。
【００１２】
請求項２は、弾発片の基端部を吊下げ部に設けるとともに、弾発片の先端部をフックに当接し、前記弾発片のうち、基端部から略中央まで延びた下り勾配の上片部を、上片部から前記先端部まで延びた下り勾配の下片部より急勾配に形成し、前記ストッパ部材を前記係止位置から前記開口位置に向けて押し下げたとき、ストッパ部材の下端部で前記上片部を押圧するように構成したことを特徴とする。
【００１３】
上片部を急勾配に形成することで、ストッパ部材の下端部が上片部に当接した状態で、ストッパ部材を円滑に下方に押し下げることができる。
ストッパ部材を円滑に下方に押し下げることにより、上片部を円滑に弾性変形させることが可能になる。
これにより、弾発片の先端部をフックから離してフックを円滑に開くことができる。
【発明の効果】
【００１４】
請求項１に係る発明では、ストッパ部材で弾発片を押圧してフックを開くことで、フックに刈払機を簡単に掛けることが可能になり、取扱い性の向上を図ることができるという利点がある。
【００１５】
請求項２に係る発明では、上片部を急勾配に形成することで、弾発片の先端部をフックから離してフックを円滑に開くことが可能になり、取扱い性の向上をより一層図ることができるという利点がある。
【発明を実施するための最良の形態】
【００１６】
本発明を実施するための最良の形態を添付図に基づいて以下に説明する。
図１は本発明に係る刈払機の吊具構造で刈払機を吊り下げた状態を示す側面図である。
刈払機の吊具構造１０は、作業者１１の両肩１２に肩掛け用ベルト１３を掛け、この肩掛けベルト１３の後部に備えたバックル１４およびタング１５を背中１６で連結することで、作業者１１の上半身に肩掛け用ベルト１３を取り付け、肩掛け用ベルト１３の吊部材１７に吊具本体２０を備え、吊具本体２０に刈払機２１の掛け部材２２（図９も参照）を掛けることにより、刈払機２１を吊り下げるものである。
【００１７】
刈払機２１は、掛け部材２２を操作杆２４の基端部２４ａ近傍に設け、基端部２４ａにエンジン２５を設け、エンジン２５の回転を、操作杆２４内に通した駆動軸２６（図９も参照）に伝え、駆動軸２６で刈刃２７を回転するものである。
刈刃２７は、操作杆２４の先端部２４ｂに回転自在に設けられている。
【００１８】
さらに、操作杆２４の略中央には、平面視において操作杆２４に略直交するように、ハンドル２８がハンドルホルダー２９を介して取り付けられている。
ハンドル２８は、正面視で略Ｕ字状を呈し、ハンドルホルダー２９を介して中央部を操作杆に取り付け、左右端に左右のグリップ３１，３２をそれぞれ設けたものである。
【００１９】
作業者１１は、上半身に肩掛け用ベルト１３を取り付けた後、吊具本体２０に刈払機２１の掛け部材２２を掛けて刈払機２１を吊り下げ、左右のグリップ３１，３２を握って操作杆２４，を前後左右に振りながら、エンジン２５で刈刃２７を回転することにより雑草３５を刈る。
【００２０】
図２は本発明に係る刈払機の吊具構造を示す斜視図である。
刈払機の吊具構造１０は、肩掛け用ベルト１３の吊部材１７に吊具本体２０を備える。
吊具本体２０は、吊部材１７に防振ばね３７を介して支持部４０を設け、支持部４０の本体４１から略水平方向に係止部４２を突出させ、係止部４２に吊下げ部４３を嵌め込み、吊下げ部４３を嵌め込んだ係止部４２にストッパ部材４５を抜き差し自在に係止位置Ｐ１まで差し込み、差し込んだストッパ部材４５で吊下げ部４３を係止部４２に保持し、吊下げ部４３のフック４６に刈払機２１（図１参照）を掛けるものである。
【００２１】
防振ばね３７は、吊部材１７の取付孔１７ａに上端部３７ａを掛け、本体４１の取付孔４１ａに下端部３７ｂを掛けることで、吊部材１７に支持部４０を連結するものである。
この防振ばね３７で、支持部４０の振動を吊部材１７に伝わらないようにする。
【００２２】
支持部４０は、本体４１を略矩形状に形成し、本体４１に一対のボルト・ナット４８，４９（奥側のボルト・ナットは図６参照）で仕切ボード５０の上端部５１を取り付け、本体４１の中央に上下のスリット５２，５３を互いに平行に形成し、本体４１の下部中央４１ｂから略水平方向に係止部４２を突出させたものである。
上下のスリット５２，５３にストラップ５５の端部５５ａを差し込み、下スリット５３から突出した端部５５ａを折り畳み、折り畳んだ部位をボルト・ナット５７，５８（図５も参照）で本体４１の下部中央４１ｂに取り付ける。
【００２３】
吊下げ部４３は、係止部４２に嵌め込み可能なリング７１と、このリング７１の下部中央７１ａ（図４も参照）に設けたフック４６と、リング７１の下部中央７１ａに設けた弾発片７２を備える。
リング７１の下部中央７１ａは、吊下げ部４３のうち、係止部４２に差し込んだストッパ部材４５の下端部４５ａ側に位置する部位である。
なお、吊下げ部４３については図４で詳しく説明する。
【００２４】
図３は本発明に係る刈払機の吊具構造において吊下げ部を切り離した状態を示す斜視図である。
係止部４２は、本体４１の下部中央４１ｂから上突片６１を先端に向けて角度θ１（図５も参照）の下り勾配で突出し、上突片６１の先端部に曲部６２を介して下突片６３を設けたものである。
上突片６１に対して下突片６３を平行に、かつ、上突片６１に対して下突片６３を所定間隔Ｓ１をおいて配置する。
【００２５】
上突片６１の曲部６２近傍に差込孔６１ａを形成し、下突片６３の曲部６２近傍から曲部６２まで切欠部６３ａを形成する。
切欠部６３ａの両端部６３ｂ，６３ｃ（６３ｂは図５参照）のうち、本体４１側の端部６３ｂと、差込孔６１ａの端部６１ｂとが略面一になり（図５参照）、差込孔６１ａおよび切欠部６３ａにストッパ部材４５を差し込み可能となる。
【００２６】
ストッパ部材４５は、一例として、上下方向に延びた金属製の板材で形成された部材であって、板厚および全幅が差込孔６１ａと切欠部６３ａとに差し込み可能に設定されている。
このストッパ部材４５は、下端部４５ａが下方に向かって本体４１から離れる方向に傾斜され、上端部４５ｂにストラップ５５および操作プレート６５がボルト・ナット６７，６８で取り付けられている。
【００２７】
操作プレート６５は、ストッパ部材４５にボルト・ナット６７，６８で下端部が取り付けられ、この下端部から斜め上方に向かって本体４１から離れる方向に操作片６５ａが張り出されている。
操作プレート６５の下端部とストッパ部材４５との間に、ストラップ５５を折り畳んだ状態で挟持する。
【００２８】
折り畳んだストラップ５５の一方から延びた部位５５ｂを、操作片６５ａの上面と下面とに接着剤で貼り付ける。これにより、操作片６５ａの上下面をストラップ５５の部位５５ｂで覆う。
【００２９】
さらに、折り畳んだストラップ５５の他方から延びた部位５５ｃを、途中で折り畳んだ状態にリベット６９で止め、端部５５ａを上下のスリット５２，５３に差し込む。
下スリット５３から突出した端部５５ａを折り畳み、折り畳んだ部位をボルト・ナット５７，５８（図５も参照）で本体４１の下部中央４１ｂに取り付ける。
これにより、操作プレート６５およびストッパ部材４５をストラップ５５を介して支持部４０の本体４１に連結する。
【００３０】
操作プレート６５の操作片６５ａを手で握り、ストッパ部材４５を持ち上げて、差込孔６１ａおよび切欠部６３ａから抜き出すことにより、吊下げ部４３のリング７１を係止部４２から外す。
操作プレート６５およびストッパ部材４５は、ストラップ５５を介して支持部４０の本体４１に連結されているので、ストッパ部材４５を差込孔６１ａおよび切欠部６３ａから抜き出した際に、操作プレート６５およびストッパ部材４５が紛失することを防ぐ。
【００３１】
図４は本発明に係る吊具構造の吊下げ部を示す分解斜視図である。
吊下げ部４３のリング７１は、ロッドを折り曲げて略矩形状に形成した枠体である。フック４６は、ロッドを折り曲げて略Ｊ字状に形成した部材である。
フック４６の基端部４６ａを、リング７１の下部中央７１ａに溶接で固着する。リング７１の下部中央７１ａにカバー７４の折曲片７６を矢印Ａの如く掛けることで、リング７１の下部中央７１ａおよびフック４６の基端部４６ａをカバー７４で覆う。
【００３２】
カバー７４の上端部（頂部折曲部）７４ａに、弾発片７２の基端部７２ａを矢印Ｂの如く掛ける。カバー７４の両側の突片７７，７７を矢印Ｃの如く折り曲げることで、折り曲げた両側の突片７７，７７で、弾発片７２の固定片７８を覆う。
これにより、カバー７４の折曲片７６と両側の突片７７，７７で固定片７８を挟持する（図５も参照）。
この状態において、リング７１の下部中央７１ａおよびフック４６の基端部４６ａがカバー７４で覆われる。
【００３３】
カバー７４の上端部（頂部折曲部）７４ａに弾発片７２の基端部７２ａを設け、弾発片７２の先端部７２ｂをフック４６の先端部４６ｂに当接する（図３、図５に示す状態）。
これにより、フック４６の開口部４７を弾発片７２で閉じた状態に保つ（図３、図５も参照）。
【００３４】
図５は本発明に係る刈払機の吊具構造を示す断面図である。
弾発片７２は、頂部折曲部７４ａからフック４６の先端部４６ｂに向けて、上片部８１を傾斜角θ２の下り勾配で開口部４７の途中まで延ばし、上片部８１の先端からフック４６の先端部４６ｂに向けて、下片部８２を傾斜角θ３の下り勾配で延ばし、弾発片７２の先端部７２ｂをフック４６の先端部４６ｂに当接する。
これにより、フック４６の開口部４７を弾発片７２の第１、第２の傾斜部８１，８２で閉じた状態に保つ。
【００３５】
上片部８１の傾斜角θ２を、下片部８２の傾斜角θ３より小さくする。上片部８１を下片部８２より急勾配にすることで、第１、第２の傾斜部８１，８２で略く字形を形成する。
すなわち、弾発片７２のうち、基端部７２ａから略中央まで延びた下り勾配の上片部８１が、上片部８１から先端部７２ｂまで延びた下り勾配の下片部８２より急勾配に形成されている。
【００３６】
係止部４２の差込孔６１ａおよび切欠部６３ａにストッパ部材４５を差し込んだ状態において、ストッパ部材４５の下端部４５ａを弾発片７２の上片部８１に当接する。
なお、上片部８１を下片部８２より急勾配にした理由は後述する。
【００３７】
支持部４０の本体４１に、一対のボルト・ナット４８，４９（図２、図６参照）で仕切ボード５０の上端部５１を取り付けることで、仕切ボード５０の上端部５１でボルト５７の頭部を覆う。
【００３８】
仕切ボード５０は、樹脂製のボード本体８４の両側面のうち、支持部４０と反対側の側面８４ａにスポンジ８５を配置し、このスポンジ８５を布８６で覆い、布８６の外周部８６ａをボード本体８４の外周において、反対側の側面８４ｂに折り返し、折り返した部位８６ｂをボード本体８４の外周に沿って縫合糸８７で縫い合わせたものである。
仕切ボード５０の布８６側を作業者１１（図１参照）に当てることで、刈払機２１の押付け力や、作業時の振動をスポンジ８５で吸収する。
【００３９】
図６は本発明に係る刈払機の吊具構造を示す正面図である。
係止部４２の上突片６１に対して下突片６３を平行に、かつ、所定間隔Ｓ１をおいて配置し、上突片６１の差込孔６１ａおよび下突片６３の切欠部６３ａにストッパ部材４５を差し込む。
【００４０】
差込孔６１ａの左周辺６１ｃおよび切欠部６３ａの左周辺６３ｄの２つの周辺で、ストッパ部材４５の左側辺４５ｃを拘束する
さらに、差込孔６１ａの右周辺６１ｄおよび切欠部６３ａの右周辺６３ｅの２つの周辺で、ストッパ部材４５の右側辺４５ｄを拘束する。
左周辺６１ｃ，６３ｄおよび右周辺６１ｄ，６３ｅで、ストッパ部材４５が左右方向に倒れることを防止する。
これにより、ストッパ部材４５を円滑に矢印の方向に押し下げることが可能になる。
【００４１】
図７は本発明に係る刈払機の吊具構造においてフックを開いた状態を示す断面図である。
吊具本体２０は、操作プレート６５を上方から親指９１（図１２参照）で押圧して、操作プレート６５に押下げ力Ｆ１をかけ、この押下げ力Ｆ１で、ストッパ部材４５を、弾発片７２のばね力に抗して係止位置Ｐ１（図２、図５も参照）から開口位置Ｐ２まで矢印の如く押し下げるように構成したものである。
ストッパ部材４５を開口位置Ｐ２まで押し下げることで、ストッパ部材４５の下端部４５ａで、弾性片７２（特に、上片部８１）を下方に押圧してフック４６の開口部４７を開く。
【００４２】
ここで、上片部８１を下片部８２より急勾配にした理由を、図５に戻って説明する。
弾性片７２を第１、第２の傾斜部８１，８２で構成し、上片部８１を下片部８２より急勾配に形成した。
【００４３】
このため、ストッパ部材４５を係止位置Ｐ１に配置した状態において、操作プレート６５に押下げ力Ｆ１をかけた際に、ストッパ部材４５の下端部４５ａを、上片部８１を滑らせて矢印の如くカバー７４に沿って円滑に押し下げることができる。
【００４４】
弾発片７２は、フック４６の開口部４７を開閉可能な部材であり、一例として、板ばねが用いられている。
ストッパ部材４５の下端部４５ａを矢印の如く円滑に押し下げることで、弾発片７２が基端部７２ａを軸にして反時計回り方向に円滑に弾性変形する。
【００４５】
弾発片７２の弾性変形で、図７に示すように、弾発片７２の先端部７２ｂ（詳しくは、下片部８２の先端部）がフック４６の先端部４６ｂから離れる。フック４６の先端部４６ｂと弾発片７２の先端部７２ｂとの間に間隔が形成され、フック４６の開口部４７を円滑に開く。
このように、上片部８１を下片部８２より急勾配にすることで、フック４６の開口部４７を円滑に開くことができる。
【００４６】
ここで、図５に示す、上片部８１の傾斜角θ２は１５〜２５°の範囲に設定することが好ましい。
傾斜角θ２が１５°未満の場合には、上片部８１と下片部８２との折れ曲がり角度が大きくなる過ぎる。弾発片７２の先端部７２ｂをフック４６の先端部４６ｂに当接させる必要があるからである。
このため、ストッパ部材４５を押し下げた際に、ストッパ部材４５の下端部４５ａが上片部８１から下片部８２に移動し難くなり、フック４６の開口部４７を円滑に開くことが難しい。
【００４７】
一方、傾斜角θ２が２５°を超えた場合には、上片部８１の傾斜が緩やか過ぎる。このため、ストッパ部材４５を押し下げた際に、ストッパ部材４５の下端部４５ａが上片部８１に沿ってカバー７４から離れる方向に滑ってしまい、上片部８１が弾性変形し難くなり、フック４６の開口部４７を円滑に開くことが難しい。
そこで、上片部８１の傾斜角θ２を１５〜２５°の範囲に設定して、ストッパ部材４５でフック４６の開口部４７を円滑に開くようにした。
【００４８】
以上説明したように、吊具本体２０は、係止部４２に吊下げ部４３を係止する部材としてストッパ部材４５を設け、このストッパ部材４５を弾発片７２を押圧する部材として兼用させた。よって、弾発片７２を押圧するために、新たな部材を用意する必要がない。
これにより、簡素な構成で弾発片７２を押圧することが可能であり、部品点数の増加を抑えることができる。
【００４９】
次に、刈払機の吊具構造の作用を図８〜図１３に基づいて説明する。
先ず、刈払機の吊具構造に刈払機２１を吊り下げる例を図８〜図９に基づいて説明する。
図８（ａ），（ｂ）は本発明に係る刈払機の吊具構造に備えたフックに刈払機を吊り下げる例を説明する図である。
（ａ）において、掛け部材２２の突片２２ａに吊下孔２２ｂが形成されている。吊下孔２２ｂをフック４６の先端部４６ｂに嵌め込む。
刈払機２１が自重で矢印Ｄの如く下降する。
【００５０】
（ｂ）において、刈払機２１が矢印Ｄの如く下降することにより、突片２２ａが下降する。突片２２ａが下降することで、弾発片７２の下端部７２ｂを下方に押し下げる。
弾発片７２が基端部７２ａを軸にして反時計回り方向に弾性変形する。
【００５１】
弾発片７２が弾性変形することで、弾発片７２の先端部７２ｂが、フック４６の先端部４６ｂから離れ、フック４６の開口部４７が開く。
【００５２】
図９は本発明に係る刈払機の吊具構造に刈払機を吊り下げた状態を説明する図である。
フック４６の開口部４７を突片２２ａが通過し、吊下孔２２ｂがフック４６に沿って矢印Ｅの如く底部４６ｃまで下降する。
これにより、フック４６に掛け部材２２が掛けられる。
【００５３】
一方、弾性変形した弾発片７２は、突片２２ａがフック４６の開口部４７を通過した後、ばね力で元の位置に復帰する。弾発片７２の先端部７２ｂが、フック４６の先端部４６ｂに当接し、フック４６の開口部４７が閉じる。
フック４６の開口部４７から掛け部材２２の突片２２ａが抜け出すことを防止する。
これにより、フック４６から掛け部材２２が抜け出さないよう、刈払機２１を確実に吊り下げることができる。
【００５４】
次に、刈払機の吊具構造から刈払機２１を緊急に外す例を図１０〜図１１に基づいて説明する。
図１０（ａ），（ｂ）は本発明に係る刈払機の吊具構造に備えたストッパ部材を引き上げる例を説明する図である。
（ａ）において、操作プレート６５の操作片６５ａを手９０で握り、操作プレート６５を持ち上げる。操作プレート６５と一緒にストッパ部材４５を矢印Ｆの如く持ち上げる。
【００５５】
（ｂ）において、ストッパ部材４５を、差込孔６１ａおよび切欠部６３ａから抜き出す。吊下げ部４３のリング７１が、刈払機２１の自重で係止部４２の上突片６１を矢印Ｇの如く滑って係止部４２から外れる。
ここで、係止部４２の上突片６１を先端に向けて角度θ１（図３参照）の下り勾配で突出させたので、吊下げ部４３のリング７１を、刈払機２１の自重で係止部４２の上突片６１から円滑に外すことができる。
【００５６】
図１１は本発明に係る刈払機の吊具構造から刈払機を緊急に外した状態を説明する図である。
吊下げ部４３のリング７１が係止部４２から外れた後、刈払機２１の自重で矢印Ｈの如く下降する。
よって、ストッパ部材４５を持ち上げるだけで、吊下げ部４３に連結した状態のまま刈払機２１を、刈払機の吊具構造１０から瞬時に外すことができる。
【００５７】
次に、刈払機の吊具構造から刈払機２１を外す例を図１２〜図１３に基づいて説明する。
図１２（ａ），（ｂ）は本発明に係る刈払機の吊具構造に備えたストッパ部材を押し下げる例を説明する図である。
（ａ）において、操作プレート６５の操作片６５ａを上方から親指９１で押圧して、操作プレート６５に押下げ力Ｆ１をかける。この押下げ力Ｆ１で、ストッパ部材４５を、弾発片７２のばね力に抗して係止位置Ｐ１から矢印Ｉの如く押し下げる。
ここで、上片部８１を下片部８２より急勾配にすることで、ストッパ部材４５の下端部４５ａを、上片部８１を滑らせて円滑に下降することができる。
【００５８】
ストッパ部材４５の下端部４５ａが下降することで、弾発片７２が基端部７２ａを軸にして反時計回り方向に矢印Ｊの如く弾性変形する。
弾発片７２の先端部７２ｂがフック４６の先端部４６ｂから離れる。
【００５９】
（ｂ）において、ストッパ部材４５を開口位置Ｐ２まで押し下げる。ストッパ部材４５の下端部４５ａで、弾性片７２を、図示の位置まで弾性変形させてフック４６の開口部４７を所定の大きさに開く。
【００６０】
この状態において、弾発片７２を元の位置に復帰させるばね力Ｆ２が、ストッパ部材４５の下端部４５ａにかかる。このため、ストッパ部材４５がばね力Ｆ２で開口位置Ｐ２に保持される。
よって、ストッパ部材４５から押下げ力Ｆ１を解除しても、フック４６の開口部４７は開いた状態に保たれる。
開口部４７を所定の大きさに開いた状態において、刈払機２１を持ち上げ、掛け部材２２の突片２２ａをフック４６の先端部４６ｂに向けて移動する。
【００６１】
図１３は本発明に係る刈払機の吊具構造から刈払機を外した状態を説明する図である。
掛け部材２２の突片２２ａが開口部４７を通過した後、突片２２ａの吊下孔２２ｂをフック４６の先端部４６ｂから矢印Ｌの如く外す。
ストッパ部材４５を操作プレート６５で開口位置Ｐ２まで押し下げるだけで、フック４６の開口部４７を簡単に開き、さらに、ストッパ部材４５から押下げ力Ｆ１（図１２参照）を解除しても、フック４６の開口部４７を開いた状態に保つことができる。
これにより、刈払機２１をフック４６の開口部４７から簡単に外すことができる。
【００６２】
なお、前記実施の形態では、ストッパ部材４５として、金属製の板材で形成した例について説明したが、これに限らないで、金属製のロッドなどの他の部材で形成することも可能である。
また、前記実施の形態では、ストッパ部材４５の下端部４５ａを傾斜させた例について説明したが、下端部４５ａを傾斜させないで鉛直状に形成することも可能である。
さらに、ストッパ部材４５の下端部４５ａの傾斜角は任意に選択することが可能である。
【００６３】
さらに、前記実施の形態形態では、支持部４０の本体４１にボルト・ナット４８，４９で仕切ボード５０の上端部５１を取り付けた例について説明したが、リベットなどのその他の締結部材を使用することも可能である。
【００６４】
また、前記実施の形態形態では、ストラップ５５の折り畳んだ部位をボルト・ナット５７，５８で本体４１に取り付けた例について説明したが、リベットなどのその他の締結部材を使用することも可能である。
【００６５】
さらに、前記実施の形態形態では、ストッパ部材４５にストラップ５５および操作プレート６５をボルト・ナット６７，６８で取り付けた例について説明したが、リベットなどのその他の締結部材を使用することも可能である。
【産業上の利用可能性】
【００６６】
本発明は、使用する際に、刈払機を吊り下げた状態に支える吊具構造に好適に適用できる。
【図面の簡単な説明】
【００６７】
【図１】本発明に係る刈払機の吊具構造で刈払機を吊り下げた状態を示す側面図である。
【図２】本発明に係る刈払機の吊具構造を示す斜視図である。
【図３】本発明に係る刈払機の吊具構造において吊下げ部を切り離した状態を示す斜視図である。
【図４】本発明に係る吊具構造の吊下げ部を示す分解斜視図である。
【図５】本発明に係る刈払機の吊具構造を示す断面図である。
【図６】本発明に係る刈払機の吊具構造を示す正面図である。
【図７】本発明に係る刈払機の吊具構造においてフックを開いた状態を示す断面図である。
【図８】本発明に係る刈払機の吊具構造に備えたフックに刈払機を吊り下げる例を説明する図である。
【図９】本発明に係る刈払機の吊具構造に刈払機を吊り下げた状態を説明する図である。
【図１０】本発明に係る刈払機の吊具構造に備えたストッパ部材を引き上げる例を説明する図である。
【図１１】本発明に係る刈払機の吊具構造から刈払機を緊急に外した状態を説明する図である。
【図１２】本発明に係る刈払機の吊具構造に備えたストッパ部材を押し下げる例を説明する図である。
【図１３】本発明に係る刈払機の吊具構造から刈払機を外した状態を説明する図である。
【図１４】従来の基本構成を説明する図である。
【符号の説明】
【００６８】
１０…刈払機の吊具構造、１３…肩掛け用ベルト、２１…刈払機、４０…支持部、４１…本体、４２…係止部、４３…吊下げ部、４５…ストッパ部材、４５ａ…ストッパ部材の下端部、４６…フック、７２…弾発片、７２ａ…基端部、７２ｂ…先端部、８１…上片部、８２…下片部、Ｐ１…係止位置、Ｐ２…開口位置。
【図１】
2006141359.tif 000003
【図２】
2006141359.tif 000004
【図３】
2006141359.tif 000005
【図４】
2006141359.tif 000006
【図５】
2006141359.tif 000007
【図６】
2006141359.tif 000008
【図７】
2006141359.tif 000009
【図８】
2006141359.tif 000010
【図９】
2006141359.tif 000011
【図１０】
2006141359.tif 000012
【図１１】
2006141359.tif 000013
【図１２】
2006141359.tif 000014
【図１３】
2006141359.tif 000015
【図１４】
2006141359.tif 000016